(57)【要約】【課題】空気清浄機の前方にいる人が寒く感じることを抑制しながら効率よく室内の浮遊菌や臭いを除去する。【解決手段】ミスナールの体感温度の式を用いて体感温度を算出し、前方に人がいて体感温度が所定値以下の時に第１吹出口２９のみから空気を送出する一方、前方に人がいても体感温度が所定値よりも高い時に第２吹出口３０から空気を送出する。【選択図】図１
2010249385.tif 000002
【特許請求の範囲】
【請求項１】
室内の空気を取り込んで送出する送風機と、空気中の塵埃を捕集するフィルターと、前記フィルターを通過した空気にプラスイオンとマイナスイオンを放出するイオン発生装置と、前記フィルターを通過した空気を上方に向けて吹き出す第１吹出口と、前記フィルターを通過した空気を前方に向けて吹き出す第２吹出口と、前方の人の存在を感知する人体センサーと、室内の温度を検知する温度センサーと、室内の湿度を検知する湿度センサーと、前記人体センサーにより検知された人までの距離を測定する測距センサーと、前記フィルターを通過した空気を第１吹出口と第２吹出口とに切り替えて導くダンパーと備え、
以下のミスナールの体感温度の式
体感温度 = 37 - (37 - t) / (0.68 - 0.0014*h + 1/A) - 0.29 * t * (1 - h/100) 
（ただし、t: 室内の温度(℃)、h: 室内の湿度(％)、v: 人のいる周辺の風速(m/s)であって、吹出口から吹き出される風速と測距センサーの距離とに基づき、実験により算出した減衰率により計算された値、  A: 1.76 + 1.4*(v＾0.75)  ）
を用いて体感温度を算出し、前方に人がいて前記体感温度が所定値以下の時に前記第１吹出口のみから空気を送出する一方、前方に人がいても前記体感温度が所定値よりも高い時に前記第２吹出口から空気を送出することを特徴とする空気清浄機。
【請求項２】
前方に人がいない時に第１、第２吹出口両方から空気を送出することを特徴とする請求項１に記載の空気清浄機。
【請求項３】
運転開始後、所定期間が経過するまでの間は、人の存在に拘わらず第１、第２吹出口両方から空気を吹き出すことを特徴とする請求項１又は２に記載の空気清浄機。
【発明の詳細な説明】
【技術分野】
【０００１】
本発明は、室内の空気を取り込んで清浄化する空気清浄機に関し、特に清浄化した空気とともにイオンを送出する空気清浄機に関する。
【背景技術】
【０００２】
従来の空気清浄機は特許文献１に開示されている。この空気清浄機はハウジングの前面に吸気口を備え、背面に吹出口を備えている。ハウジング内には送風機が配され、送風機と吸気口との間に塵埃を捕集するフィルターが設けられている。また、吹出口の近傍にはプラスイオンとマイナスイオンを放出するイオン発生装置が設けられている。
【０００３】
送風機を駆動すると前方から吸気口を介してハウジング内に取り込まれた室内の空気はフィルターにより塵埃が除去され、イオン発生装置から放出されるイオンを含んで吹出口上方に向けて送出される。これにより、イオンを含む清浄化された空気が室内を大きく循環して隅々に行き渡る。
【０００４】
プラスイオンとマイナスイオンは室内のカビ菌やウィルス等の浮遊菌や臭い成分を取り囲んで破壊する。これにより、室内の空気を清浄化するとともに殺菌や臭い除去を行うことができるようになっている。
【０００５】
また、ユーザによる運転モードの切り替えによってマイナスイオンのみを室内に送出することによりリラクゼーション効果を得ることができる。
【０００６】
上記従来の空気清浄機によると、吹出口から上方に向けて空気とともに送出されるイオンは室内の壁面に沿って大きく循環する。このため、室内全体にイオンが行き渡り、殺菌、臭い除去、リラクゼーション効果を得ることができる。しかしながら、室内の略中央部分の人が居住する居住空間に対してイオンが迅速に行き渡らず、快適な居住空間を迅速に得ることができない問題があった。
【０００７】
そこで、特許文献２には、フィルターを通過した空気を上方に向けて吹き出す第１吹出口と、フィルターを通過した空気を前方に向けて吹き出す第２吹出口と、人の存在を感知する人体センサーとを備え、前方に人がいる時に第２吹出口のみから上方にイオンを含む空気を送出することが提案されている。このような空気清浄機の制御によると、空気清浄機の前方に人がいる時は室内に迅速にイオンが行き渡り、前方に人がいない時は室内全体にイオンが行き渡る。従って、空気の吹出し方向を切り替える操作を必要とせず、使いやすい空気清浄機を得ることができる。
【先行技術文献】
【特許文献】
【０００８】
【特許文献１】特開２００２−１０２３２７号公報
【特許文献２】特開２００６−４６７２９号公報（段落［００５５］、図８）
【発明の概要】
【発明が解決しようとする課題】
【０００９】
しかしながら、特許文献２の空気清浄機によると、空気清浄機の前方に人がいるときは一律に第２吹出口から前方に向けて空気が送出されるため、第２吹出口から送風される風がまともに身体に当たり、寒く感じるという問題があった。この問題は、送風量が大きく、体感温度が低いときに特に顕著であった。
【００１０】
本発明は、上記従来の問題に鑑みてなされたものであり、空気清浄機の前方にいる人が寒く感じることを抑制しながら効率よく室内の浮遊菌や臭いを除去できる空気清浄機を提供することを目的とする。
【課題を解決するための手段】
【００１１】
上記目的を達成するために本発明は、室内の空気を取り込んで送出する送風機と、空気中の塵埃を捕集するフィルターと、前記フィルターを通過した空気にプラスイオンとマイナスイオンを放出するイオン発生装置と、前記フィルターを通過した空気を上方に向けて吹き出す第１吹出口と、前記フィルターを通過した空気を前方に向けて吹き出す第２吹出口と、前方の人の存在を感知する人体センサーと、室内の温度を検知する温度センサーと、室内の湿度を検知する湿度センサーと、前記フィルターを通過した空気を第１吹出口と第２吹出口とに切り替えて導くダンパーと備え、
以下のミスナールの体感温度の式
体感温度 = 37 - (37 - t) / (0.68 - 0.0014*h + 1/A) - 0.29 * t * (1 - h/100) 
（ただし、t: 室内の温度(℃)、h: 室内の湿度(％)、v: 人のいる周辺の風速(m/s)であって、吹出口から吹き出される風速と測距センサーの距離とに基づき、実験により算出した減衰率により計算された値、  A: 1.76 + 1.4*(v＾0.75)  ）
を用いて体感温度を算出し、前方に人がいて前記体感温度が所定値以下の時は前記第１吹出口のみから空気を送出する一方、前方に人がいても前記体感温度が所定値よりも高い時は前記第２吹出口から空気を送出することを特徴としている。
【００１２】
この構成によると、送風機の駆動によって吸気口から取り込まれた空気はフィルターにより塵埃を除去される。イオン発生装置により放出されたプラスイオンとマイナスイオンが塵埃を除去した空気に含まれる。そして、人体センサーが空気清浄機の前方に人がいることを検知した場合であって、体感温度が所定値以下の時に、第１吹出口から空気及びイオンを送出し、体感温度が所定値よりも高い時に、第２吹出口から空気及びイオンを送出する。この時、第１吹出口からも空気及びイオンを送出してもよい。第１吹出口から送出される空気は室内の壁面に沿って大きく循環する。第２吹出口から送出される空気は室内略中央の居住空間に導かれる。
【００１３】
また本発明は、前方に人がいない時に第１、第２吹出口両方から空気を送出することを特徴としている。この構成によると、人体センサーが空気清浄機の前方に人がいることを検知しない場合は第１及び第２吹出口から空気及びイオンを送出する。この時、第１吹出口からも空気及びイオンを送出してもよい。
【００１４】
また本発明は、運転開始後、所定期間が経過するまでの間は、人の存在に拘わらず第１、第２吹出口両方から空気を吹き出すことを特徴としている。この構成によると、運転開始直後は第１、第２吹出口両方からプラスイオンとマイナスイオンが送出され、所定時間が経過すると人体センサーの検知結果に応じて吹出し方向が可変される。
【発明の効果】
【００１５】
本発明の空気清浄機によると、室内の温湿度及び人のいる周辺の風速を考慮したミスナールの体感温度の式を用いて体感温度を算出し、空気及びイオンの吹出し方向の制御を行うことで、空気清浄機の前方にいる人が寒く感じることを抑制しながら効率よく室内の浮遊菌や臭いを除去できる。具体的には、前方に人がいて体感温度が所定値以下のときは、第１吹出口のみから上方に向けて空気及びイオンを送出することで、前方にいる人に風が当たらず、寒く感じることなく室内全体にイオンを行き渡らせることができる。他方、前方に人がいても体感温度が所定値よりも高いときは、風が当たってもそれほど寒さを感じることがないので、第２吹出口から前方に向けて空気及びイオンを送出することで、居住空間に迅速にイオンを行き渡らせることができる。
【００１６】
また本発明によると、前方に人がいない時は、第１、第２吹出口両方から上方及び前方に向けて空気及びイオンが送出されるので、居室空間の全体に迅速にイオンを行き渡らせることができる。
【００１７】
また本発明によると、運転開始直後は空気調和機の前方に人がいても第１、第２吹出口両方から上方及び前方に向けて空気及びイオンが送出されるので、居室空間及び室内周辺部を含む室内全体の殺菌及び臭い除去を迅速に行うことができる。
【図面の簡単な説明】
【００１８】
【図１】本発明の実施形態の空気清浄機を示す斜視図
【図２】本発明の実施形態の空気清浄機を示す側面断面図
【図３】本発明の実施形態の空気清浄機のイオン発生装置を示す斜視図
【図４】本発明の実施形態の空気清浄機の構成を示すブロック図
【図５】本発明の実施形態の空気清浄機の動作を示すフローチャート
【図６】本発明の実施形態の空気清浄機による室内の空気の流れを説明する図
【図７】本発明の実施形態の空気清浄機による室内の空気の流れを説明する図
【図８】本発明の実施形態の空気清浄機による室内の空気の流れを説明する図
【図９】本発明の実施形態の空気清浄機の空気清浄用フィルターユニットを示す分解斜視図
【図１０】本発明の実施形態の空気清浄機のプレフィルターを示す斜視図
【図１１】本発明の実施形態の空気清浄機の脱臭フィルターを示す斜視図
【図１２】本発明の実施形態の空気清浄機の脱臭フィルターを示す側面図
【図１３】本発明の実施形態の空気清浄機の脱臭フィルターを示す側面断面図
【図１４】本発明の実施形態の空気清浄機の集塵フィルターを示す斜視図
【図１５】本発明の実施形態の空気清浄機のフィルター押え枠を示す斜視図
【図１６】本発明の実施形態の空気清浄機の空気清浄用フィルターユニットの枠体を示す斜視図
【図１７】本発明の実施形態の空気清浄機の空気清浄用フィルターユニットの枠体とプレフィルターの結合状態を示す斜視図
【発明を実施するための形態】
【００１９】
以下に本発明の実施形態を図面を参照して説明する。図１は一実施形態の空気清浄機を示す斜視図である。空気清浄機１はベース１１の支持により本体部１０が立設されている。本体部１０の前面は前面パネル１２により覆われている。前面パネル１２には室内の空気を取り込む吸気口１３が設けられるとともに、本体部１０と前面パネル１２との隙間により側面吸気口１４が形成されている。本体部１０の上部にはユーザ操作を行う操作パネル１５が設けられる。
【００２０】
図２は空気清浄機１の前面パネル１２を取り外した状態を示す側面断面図である。本体部１０内には軸方向に吸気して周方向に排気する送風機２５が設けられる。送風機２５は吸気側が吸気口１３に面して配され、通気口２７を有する通気パネル２８により前面が覆われる。通気パネル２８によって本体部１０の後部には上下に延びる通風路３１が形成される。
【００２１】
通風路３１は上方に向けて開口する第１吹出口２９が設けられるとともに、斜め上方に屈曲して前方に開口する第２吹出口３０が設けられる。また、通風路３１の経路途中にはンパー３３が設けられる。ダンパー３３によって、吹出し方向を第１吹出口２９からのみ空気を吹出す場合、第２吹出口３０からのみ空気を吹出す場合、第１、第２吹出口２９、３０の両方から空気を吹出す場合に切り替えることができるようになっている。
【００２２】
送風機２５と吹出口２９との間にはイオン発生装置２６が設けられている。図３に示すように、イオン発生装置２６は高圧電圧の印加によりイオンを発生する電極から成るイオン発生面２６ａを有し、イオン発生面２６ａが通風路３１に面して配されている。イオン発生装置２６を吹出口２９と送風機２５との間に配置することにより送風機２５との衝突によるイオンの消滅を防止することができる。また、イオンを発生する電極を通風路３１に配置してイオン発生装置２６の電源部等を別の位置に配置してもよい。
【００２３】
イオン発生装置２６のイオン発生面２６ａには交流波形またはインパルス波形から成る電圧が印加される。イオン発生面２６ａの印加電圧が正電圧の場合は主としてＨ+（Ｈ2Ｏ）nから成るプラスイオンを発生し、負電圧の場合は主としてＯ2-（Ｈ2Ｏ）mから成るマイナスイオンを発生する。ここで、ｎ、ｍは整数である。Ｈ+（Ｈ2Ｏ）n及びＯ2-（Ｈ2Ｏ）mは空気中の浮遊菌や臭い成分の表面で凝集してこれらを取り囲む。
【００２４】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｎ'、ｍ'は整数である。従って、プラスイオン及びマイナスイオンを発生して第１、第２吹出口２９、３０から送出することにより室内の殺菌及び臭い除去を行うことができる。
【００２５】
Ｈ+（Ｈ2Ｏ）n＋Ｏ2-（Ｈ2Ｏ）m→・ＯＨ＋1/2Ｏ2＋（ｎ＋ｍ）Ｈ2Ｏ ・・・（１）
Ｈ+（Ｈ2Ｏ）n＋Ｈ+（Ｈ2Ｏ）n'＋Ｏ2-（Ｈ2Ｏ）m＋Ｏ2-（Ｈ2Ｏ）m' →2・ＯＨ＋Ｏ2＋（ｎ＋ｎ'＋ｍ＋ｍ'）Ｈ2Ｏ ・・・（２）
Ｈ+（Ｈ2Ｏ）n＋Ｈ+（Ｈ2Ｏ）n'＋Ｏ2-（Ｈ2Ｏ）m＋Ｏ2-（Ｈ2Ｏ）m' →Ｈ2Ｏ2＋Ｏ2＋（ｎ＋ｎ'＋ｍ＋ｍ'）Ｈ2Ｏ ・・・（３）
【００２６】
前面パネル１２と通気パネル２８との間には空気清浄用フィルターユニット２０及び加湿部２１が配される。吸気口１３(図１参照)に面して配される空気清浄用フィルターユニット２０は、空気清浄機に組み込むものとして設計されている。図９は空気清浄用フィルターユニット２０の分解斜視図を示している。
【００２７】
空気清浄用フィルターユニット２０は枠体５６内に空気の吸込み側から順にプレフィルター５２、脱臭フィルター５４、集塵フィルター５５の３種類のフィルターが配設されている。プレフィルター５２と脱臭フィルター５４との間にはフィルター押え５３が配されている。
【００２８】
図１０はプレフィルター５２を示す斜視図である。プレフィルター５２はＡＢＳ等の合成樹脂で形成された４段４列の窓を有する矩形の枠６１にポリプロピレン製のメッシュ６２を溶着して形成されている。枠６１の両側面には２個づつの突起部６３が設けられ、正面につまみ６４が突設されている。プレフィルター５２によって吸気中の大きな塵埃を捕集することができる。
【００２９】
図１１、図１２は脱臭フィルター５４の斜視図及び側面図を示している。脱臭フィルター５４はポリプロピレン繊維やポリエステル繊維から成る矩形の袋体４１を有している。袋体４１は上下方向に連続した大きさが均等な複数の収納室４２に区分けされている。各収納室４２内には活性炭等の吸着材１８（図１３参照）が均一に分散して詰められている。これにより、各収納室４２が膨らんで脱臭フィルター５４は表面に凹凸が形成される。尚、収納室４２の数は特に限定されない。吸着材１８として、やしがら系、石炭ピッチ系、ポリアクリロニトリル系、セルロース系等の活性炭等を用いることができる。
【００３０】
図１３は脱臭フィルター５４の側面断面図を示している。各収納室４２は袋体４１の表面側と裏面側とを縫い合わせて形成される。この時、縫い目６７が傾斜するように縫い合わされる。脱臭フィルター５４の装着状態では各収納室４２に詰められた吸着材６８が自重で下降し、各収納室４２の上部に空間部４２ａが形成される。この時、縫い目６７が傾斜しているため各収納室４２の上方の収納室４２の下部に吸着材１８が詰められる。
【００３１】
これにより、脱臭フィルター５４に入った空気は、矢印αで示すように、必ず吸着材１８と接触しながら通過して放出され、脱臭効果が向上する。また、袋体４１を一列配置するだけでよく、脱臭フィルター５４の薄型化を図ることができる。
【００３２】
図１４は集塵フィルター５５の斜視図を示している。集塵フィルター５５はＨＥＰＡフィルターから成り、濾材（不図示）を覆うように枠材（不図示）がホットメルトにより溶着されている。濾材はポリエステル／ビニロン系の不織布から成る骨材とメルトブロー不織布とを重ね合わせ、折り畳んで構成される。メルトブロー不織布として電石加工された東レ株式会社製トレミクロン(登録商標)が用いられる。また、濾材の表面にはハイドロキシアパタイト加工した不織布から成る抗菌シートが重ねて熱圧着されている。集塵フィルター５５によって微細な塵埃を捕集する。
【００３３】
図１５はフィルター押さえ枠５３を脱臭フィルター５４の側から見た斜視図である。フィルター押さえ枠５３は矩形の枠６４に空気の流入が可能な複数段複数列の角孔６５を有している。角孔６５の高さは脱臭フィルター５４の表面の凹凸に合わせて設定されている。
【００３４】
また、風下側の脱臭フィルター５４に対向する面には、各角孔６５の間に桟状の突起部６６が設けられている。突起部６６は横幅がフィルター押さえ枠５３の横幅と同じであり、脱臭フィルター５４に向かって水平方向に突出している。突起部６６により脱臭フィルター５４を押さえて位置ずれを防止するようになっている。尚、突起部６６は必ずしも桟状である必要はなく、ピン等の突起であってもよい。
【００３５】
図１６は枠体６１の斜視図を示している。枠体６１は、風上側の面が開放された箱体７１から成り、風下側の面には格子枠７３により空気の流入が可能な角孔７２が形成されている。枠体６１の厚さは集塵フィルター５５、脱臭フィルター５４、フィルター押さえ枠５３及びプレフィルター５２が収納可能な厚さになっている。箱体７１の両側面には両側面には２個づつの係止穴７４が設けられる。図１７に示すように、プレフィルター５２の突起部６３が係止孔７４に嵌合して、内部の脱臭フィルター５４等が脱落することなく、空気清浄用フィルターユニット２０が一体に形成される。
【００３６】
空気清浄用フィルターユニット２０と通気パネル２８との間には所定幅の空間部３２が形成されている。空間部３２を設けることにより空気清浄用フィルターユニット２０を通過した空気が通気口２７にスムーズに流入し、圧力損失及び騒音を低減できるようになっている。
【００３７】
空間部３２の下部に配置される加湿部２１は加湿フィルター２２、トレイ２３及び水タンク２４(図１参照)により構成されている。水タンク２４は加湿用の水が貯水され、本体部１０の側部に着脱可能に立設されている。トレイ２３は水タンク２４に接続され、タンクから供給される水をためる。加湿フィルター２２はトレイ２３に浸漬される吸水性を有した吸水材から成り、前後方向にジグザグに折曲した屏風状に形成されている。これにより、加湿フィルター２２はトレイ２３内の水を吸い上げて保水する。
【００３８】
図４は空気清浄機１の構成を示すブロック図である。空気清浄機１は各部を制御する制御部４０が操作パネル１５(図１参照)の背面側に設けられる。制御部４０には、操作パネル１５の前面側に設けられた人体センサー７１、温度センサー７２、湿度センサー７３及び測距センサー７４が接続されている。
【００３９】
人体センサー７１は空気清浄機１の前方に人がいるか否かを感知する。温度センサー７２は室内の温度を検知する。湿度センサー７３は室内の湿度（相対湿度）を検知する。測距センサー７４は人体センサー７１により前方に人がいることが検知された時、本体部２の第２吹出口３０から検知された人までの距離を測定する。また、送風機２５、イオン発生装置２６及びダンパー３３が制御部４０の制御により駆動される。
【００４０】
図５は上記構成の空気調和機１の動作を示すフローチャートである。空気調和機１が駆動されるとステップ＃１１で送風機２５がＯＮになり、ステップ＃１２でダンパー３３によって第１、第２吹出口２９、３０の両方に向かって通風路３１が開放される。ステップ＃１３ではイオン発生装置２６によってプラスイオンとマイナスイオンとが放出される。
【００４１】
これにより、吸気口１３から本体部１０内に室内の空気が取り込まれる。吸気口１３から取り込まれた空気は矢印Ａ（図２参照）に示すように空気清浄用フィルターユニット２０を通過して塵埃が捕集され、ウィルスやアレルゲンが不活化される。空気清浄用フィルターユニット２０を通過した空気は通気口２７を介して通風路３１に流入する。
【００４２】
また、空気清浄用フィルターユニット２０を通過した下方の空気は加湿フィルター２２に衝突し、加湿フィルター２２の背面側が遮蔽されるため吸水材の折曲された壁面に沿って矢印Ｂ（図２参照）に示すように上昇する。この時、加湿フィルター２２に保水された水分が上昇する空気内に取り込まれ、加湿された空気が通気口２７を介して通風路３１に流入する。通風路３１を流通する空気はイオン発生装置２６から放出されるプラスイオン及びマイナスイオンを含み、第１、第２吹出口２９、３０から室内に送出される。
【００４３】
これにより、図６に示すように、第１吹出口２９から送出された空気は矢印Ｃに示すように室内Ｒの壁面に沿って流通し、プラスイオン及びマイナスイオンが室内Ｒの全体に行き渡る。また、第２吹出口３０から送出された空気は矢印Ｄに示すように室内Ｒの略中央付近の居住空間にプラスイオン及びマイナスイオンを導く。従って、空気調和機１の運転開始直後には室内Ｒの周辺部及び居住空間を含む室内Ｒ全体にプラスイオン及びマイナスイオンが行き渡る。これにより、塵埃に付いて室内を浮遊する浮遊菌の殺菌や室内の臭い除去を迅速に行うことができる。
【００４４】
ステップ＃１４では終了操作が行われた否かが判断される。終了操作が行われた場合は終了する。ステップ＃１５では運転開始から１分間が経過したか否かが判断される。所定１分間が経過しない場合はステップ＃１４に戻り、１分間が経過するまでステップ＃１４、＃１５を行って待機する。なお、１分間は所定時間の一例である。
【００４５】
１分間が経過すると、ステップ＃１６に移行し、人体センサー７１の感知により空気清浄機１の前方２．５ｍ以内に人がいるかいないかが判断される。空気清浄機１の前方２．５ｍ以内に人がいる場合はステップ＃１７に移行し、人がいない場合はステップ＃１９に移行する。
【００４６】
ステップ＃１７では、体感温度が２２℃以下の時、ステップＳ１８に移行し、ダンパー３３の切り替えによって第２吹出口３０に向かう通風路３１が閉じられ、第１吹出口２９に向かう通風路のみが開放される。これにより、図７に示すように、空気清浄機１から上方にのみ空気が送出され、矢印Ｃに示すように室内を循環する空気の流れとなる。従って、前方にいる人に風が当たらず、寒く感じることなく室内Ｒの全体にイオンを行き渡らせることができる。なお、２２℃は所定値の一例である。この値は個人差に合わせて設定で変更できるようにするとよい。また、ステップ＃１８で、第１吹出口２９から放出されるプラスイオンとマイナスイオンのイオン放出濃度を高めるようにすることにより、風によって運ばれるイオン量が減らないようにできる。イオン放出濃度を高める方法としては、送風機２５の回転数を増加させる、或いはイオン発生装置２６から発生されるプラスイオンとマイナスイオンのイオン発生量を増加させる、またはその両方を行うことが考えられる。イオン発生量を調整するには、イオン発生装置２６を並べて複数設け、動作させるイオン発生装置の個数を増減させることで行うことができる。
【００４７】
ここで、体感温度の計算には、以下の「ミスナールの体感温度」の計算式を使用する。
体感温度 = 37 - (37 - t) / (0.68 - 0.0014*h + 1/A) - 0.29 * t * (1 - h/100) 
ただし
t: 温度センサー７２により検知された室内の温度(℃) 
h: 湿度センサー７３により検知された室内の湿度(％) 
v: 人のいる周辺の風速(m/s)であって、吹出口から吹き出される風速と測距センサー７４の距離とに基づき、実験により算出した減衰率により計算された値
A: 1.76 + 1.4*(v＾0.75)
【００４８】
下表に、同じ温湿度（温度25℃、湿度60％）の時でも、人のいる周辺の風速によりミスナールの式により計算された体感温度が異なることを例示する。
【００４９】
【表１】
2010249385.tif 000003
【００５０】
一方、ステップ＃１７で体感温度が２２℃より高い時は、ダンパー３３による風路の切替は行われず、図６に示すように、第１、第２吹出口２９、３０の両方から上方及び前方に向けて空気が送出され、ステップ＃１４に戻り、ステップ＃１４〜＃１７が繰り返し行われる。前方に人がいても体感温度が所定値よりも高いときは、風が当たってもそれほど寒さを感じることがないので、第１、第２吹出口２９、３０両方から上方及び前方に向けて空気を送出することで、居住空間に迅速にイオンを行き渡らせることができる。
【００５１】
ステップ＃１９では、ダンパー３３の切り替えによって第１吹出口２９に向かう通風路３１が閉じられ、第２吹出口３０に向かう通風路のみが開放される。これにより、図８に示すように、空気清浄機１から前方にのみ空気が送出され、矢印Ｄに示すようにイオンが室内Ｒの略中央の居住空間に迅速に行き渡る。ステップ＃１６〜＃１９により、ユーザ操作することなく空気の吹出し方向を自動的に可変する風向可変手段が構成され、使いやすい空気調和機１が得られる。なお、ステップ＃１９で、ダンパー３３による風路の切替を行わず、図６に示すように、第１、第２吹出口２９、３０の両方から上方及び前方に向けて空気を送出するようにしてもよい。
【００５２】
イオンを含む空気は加湿部２１で加湿されているため、イオンが水分子に周辺部が取り囲まれて保護される。このため、空気中のカビ菌やウィルス等の浮遊菌や臭い成分にイオンが衝突してこれらを取り囲む度合が高くなる。また、空気中の塵埃にイオンが衝突した際にイオンが水分子に保護されているため寿命時間が長くなる。イオン同士が衝突した場合も水分子に保護されているためイオンの消滅が低減される。従って、室内の浮遊菌や臭い成分を迅速に除去することができるとともに、室内に送出されるイオンが隅々まで行き渡ってイオンの分布が均一になる。
【００５３】
ステップ＃２０では終了操作が行われたか否かが判断され、終了操作が行われた場合は終了する。終了操作が行われない場合はステップ＃１５に戻り、ステップ＃１５〜＃２０が繰り返し行われる。
【００５４】
本実施形態によると、空気清浄機１の前方に人がいても体感温度が所定値よりも高いときは、第２吹出口３０から前方にのみ空気を送出するので、プラスイオンとマイナスイオンとを送出することにより空気清浄機１の前方の居住空間の殺菌及び臭い除去を迅速に行うことができる。また、マイナスイオンのみを送出することにより居住空間のリラクゼーション効果を迅速に得ることができる。これにより、人のいる居住空間を迅速に快適な空間にすることができる。尚、第１、第２吹出口２９、３０から同時に空気を吹出すことによりイオンが居住空間全体に届くために迅速に快適空間を得ることができる。
【００５５】
また、空気清浄機１の前方に人がいない時は、第１、第２吹出口両方から上方及び前方に向けて空気を送出するので、プラスイオンとマイナスイオンとを送出することにより室内全体の殺菌及び臭い除去を行うことができる。また、マイナスイオンのみを送出することにより室内全体のリラクゼーション効果を得ることができる。
【００５６】
尚、ステップ＃１９において第１、第２吹出口２９、３０両方から空気を送出してもよい。これにより、室内の全体に迅速にイオンを行き渡らせることができる。この時、第２吹出口３０のみから空気を送出する場合の方が上方へのイオンの送出量が多くなるため、より隅々までイオンが行き渡る。
【００５７】
また、運転開始直後は電源投入等により空気調和機の前方に人がいても第１、第２吹出口２９、３０から空気を送出する。これにより、室内の全体に迅速にプラスイオン及びマイナスイオンを行き渡らせて殺菌及び臭い除去を行い、快適な室内を迅速に得ることができる。
【産業上の利用可能性】
【００５８】
本発明によると、フィルターを有して塵埃を捕集し、室内にイオンを送出する空気清浄機、空気調和機に利用することができる。
【符号の説明】
【００５９】
１        空気清浄機
１０      本体部
１２      前面パネル
１３      吸気口
１４      側面吸気口
１５      操作パネル
２０      空気清浄用フィルターユニット
２１      加湿部
２２      加湿フィルター
２３      トレイ
２５      送風機
２６      イオン発生装置
２７      通気口
２８      通気パネル
２９      第１吹出口
３０      第２吹出口
３１      通気路
３２      空間部
３３      ダンパー
４０      制御部
７１      人体センサー
７２      温度センサー
７３      湿度センサー
７４      測距センサー
【図１】
2010249385.tif 000004
【図２】
2010249385.tif 000005
【図３】
2010249385.tif 000006
【図４】
2010249385.tif 000007
【図５】
2010249385.tif 000008
【図６】
2010249385.tif 000009
【図７】
2010249385.tif 000010
【図８】
2010249385.tif 000011
【図９】
2010249385.tif 000012
【図１０】
2010249385.tif 000013
【図１１】
2010249385.tif 000014
【図１２】
2010249385.tif 000015
【図１３】
2010249385.tif 000016
【図１４】
2010249385.tif 000017
【図１５】
2010249385.tif 000018
【図１６】
2010249385.tif 000019
【図１７】
2010249385.tif 000020